【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
可変表示の第１実行条件が成立した後に可変表示の第１開始条件が成立したことにもとづいて第１識別情報の可変表示を開始し表示結果を導出表示する第１可変表示手段と、可変表示の第２実行条件が成立した後に可変表示の第２開始条件が成立したことにもとづいて第２識別情報の可変表示を開始し表示結果を導出表示する第２可変表示手段とを備え、前記第１可変表示手段と前記第２可変表示手段のいずれかに特定表示結果が導出表示されたときに遊技者にとって有利な特定遊技状態に移行させる遊技機であって、
遊技の進行を制御する遊技制御手段と、
前記第１可変表示手段における第１識別情報の可変表示および前記第２可変表示手段における第２識別情報の可変表示に対応した演出情報の可変表示を実行する所定の演出表示手段の表示状態を制御する表示制御手段とを備え、
前記遊技制御手段は、
前記第１可変表示手段における第１識別情報の可変表示の表示結果を前記特定表示結果にするか否かを決定する第１事前決定手段と、
前記第２可変表示手段における第２識別情報の可変表示の表示結果を前記特定表示結果にするか否かを決定する第２事前決定手段と、
前記第１事前決定手段による決定結果を特定可能な第１表示結果コマンドを送信する第１表示結果コマンド送信手段と、
前記第２事前決定手段による決定結果を特定可能な第２表示結果コマンドを送信する第２表示結果コマンド送信手段とを含み、
前記第１表示結果コマンド送信手段および前記第２表示結果コマンド送信手段は、前記第１表示結果コマンドおよび前記第２表示結果コマンドとして共通のコマンドを送信し、
前記遊技制御手段は、
前記第１事前決定手段の決定結果にもとづいて、前記第１可変表示手段の第１識別情報の可変表示を実行し、可変表示時間が経過したことにもとづいて、前記第１可変表示手段に表示結果を導出表示する第１可変表示実行手段と、
前記第２事前決定手段の決定結果にもとづいて、前記第２可変表示手段の第２識別情報の可変表示を実行し、可変表示時間が経過したことにもとづいて、前記第２可変表示手段に表示結果を導出表示する第２可変表示実行手段とを含み、
前記表示制御手段は、
前記第１事前決定手段および前記第２事前決定手段による決定結果を示す事前決定結果情報を記憶する事前決定結果情報記憶手段と、
前記第１表示結果コマンド送信手段によって前記第１表示結果コマンドが送信される前または前記第２表示結果コマンド送信手段によって前記第２表示結果コマンドが送信される前に所定のコマンドの受信にもとづいて、前記事前決定結果情報記憶手段が記憶する前記事前決定結果情報をクリアする事前決定結果情報クリア手段と、
前記事前決定結果情報クリア手段によって前記事前決定結果情報記憶手段が記憶する前記事前決定結果情報がクリアされた後に、前記第１表示結果コマンド送信手段によって送信された前記第１表示結果コマンドまたは前記第２表示結果コマンド送信手段によって送信された前記第２表示結果コマンドで特定される前記事前決定結果情報を前記事前決定結果情報記憶手段に記憶させる制御を行う事前決定結果情報記憶制御手段と、
前記事前決定結果情報記憶手段が記憶する前記事前決定結果情報を読み出し、読み出した前記事前決定結果情報にもとづいて、前記所定の演出表示手段に表示結果を導出表示する演出表示実行手段とを含む
ことを特徴とする遊技機。
【手続補正２】
【補正対象書類名】明細書
【補正対象項目名】００１０
【補正方法】変更
【補正の内容】
【００１０】
本発明による遊技機は、可変表示の第１実行条件が成立（例えば、第１始動入賞口１３への遊技球の入賞）した後に可変表示の第１開始条件が成立（例えば、前回の可変表示の終了）したことにもとづいて第１識別情報（例えば、第１特別図柄）の可変表示を開始し表示結果を導出表示する第１可変表示手段（例えば、第１特別図柄表示器８ａ）と、可変表示の第２実行条件が成立（例えば、第１始動入賞口１４への遊技球の入賞）した後に可変表示の第２開始条件が成立（例えば、前回の可変表示の終了）したことにもとづいて第２識別情報（例えば、第２特別図柄）の可変表示を開始し表示結果を導出表示する第２可変表示手段（例えば、第２特別図柄表示器８ｂ）とを備え、第１可変表示手段と第２可変表示手段のいずれかに特定表示結果（例えば、大当り図柄）が導出表示されたときに遊技者にとって有利な特定遊技状態（例えば、大当り遊技状態）に移行させる遊技機であって、遊技の進行を制御する遊技制御手段（例えば、遊技制御用マイクロコンピュータ５６０）と、第１可変表示手段における第１識別情報の可変表示および第２可変表示手段における第２識別情報の可変表示に対応した演出情報（例えば、背景図柄）の可変表示を実行する所定の演出表示手段（例えば、背景図柄表示部９ｃ、可変表示装置を２つ備える場合の各可変表示装置）の表示状態を制御する表示制御手段（例えば、演出制御用マイクロコンピュータ１００）とを備え、遊技制御手段は、第１可変表示手段における第１識別情報の可変表示の表示結果を特定表示結果にするか否かを決定する第１事前決定手段（例えば、遊技制御用マイクロコンピュータ５６０におけるステップＳ１５０９，Ｓ１５１０，Ｓ１５１９を実行する部分）と、第２可変表示手段における第２識別情報の可変表示の表示結果を特定表示結果にするか否かを決定する第２事前決定手段（例えば、遊技制御用マイクロコンピュータ５６０における第２特別図柄通常処理でステップＳ１５０９，Ｓ１５１０，Ｓ１５１９と同様の処理を実行する部分）と、第１事前決定手段による決定結果を特定可能な第１表示結果コマンドを送信する第１表示結果コマンド送信手段（例えば、遊技制御用マイクロコンピュータ５６０における図３４（Ａ）に示す第１コマンド送信テーブルに従ってステップＳ３３２ａ〜Ｓ３４３ａを実行する部分）と、第２事前決定手段による決定結果を特定可能な第２表示結果コマンドを送信する第２表示結果コマンド送信手段（例えば、遊技制御用マイクロコンピュータ５６０における図３４（Ｂ）に示す第２コマンド送信テーブルに従ってステップＳ３３２ｂ〜Ｓ３４３ｂを実行する部分）とを含み、第１表示結果コマンド送信手段および第２表示結果コマンド送信手段は、第１表示結果コマンドおよび第２表示結果コマンドとして共通のコマンドを送信し、遊技制御手段は、第１事前決定手段の決定結果にもとづいて、第１可変表示手段の第１識別情報の可変表示を実行し、可変表示時間が経過したことにもとづいて、第１可変表示手段に表示結果を導出表示する第１可変表示実行手段（例えば、遊技制御用マイクロコンピュータ５６０におけるステップＳ２０９，Ｓ２１０，Ｓ３５１〜Ｓ３５６，Ｓ１６１，Ｓ１３０１〜Ｓ１３０５を実行する部分）と、第２事前決定手段の決定結果にもとづいて、第２可変表示手段の第２識別情報の可変表示を実行し、可変表示時間が経過したことにもとづいて、第２可変表示手段に表示結果を導出表示する第２可変表示実行手段（例えば、遊技制御用マイクロコンピュータ５６０におけるステップＳ２０９，Ｓ２１０，Ｓ３５１〜Ｓ３５６，Ｓ１６１，Ｓ１３０１〜Ｓ１３０５と同様の処理を実行する部分）とを含み、表示制御手段は、第１事前決定手段および第２事前決定手段による決定結果を示す事前決定結果情報を記憶する事前決定結果情報記憶手段と、第１表示結果コマンド送信手段によって第１表示結果コマンドが送信される前または第２表示結果コマンド送信手段によって第２表示結果コマンドが送信される前に所定のコマンドの受信にもとづいて、事前決定結果情報記憶手段が記憶する事前決定結果情報をクリアする事前決定結果情報クリア手段と、事前決定結果情報クリア手段によって事前決定結果情報記憶手段が記憶する事前決定結果情報がクリアされた後に、第１表示結果コマンド送信手段によって送信された第１表示結果コマンドまたは第２表示結果コマンド送信手段によって送信された第２表示結果コマンドで特定される事前決定結果情報を事前決定結果情報記憶手段に記憶させる制御を行う事前決定結果情報記憶制御手段と、事前決定結果情報記憶手段が記憶する事前決定結果情報を読み出し、読み出した事前決定結果情報にもとづいて、所定の演出表示手段に表示結果を導出表示する演出表示実行手段（例えば、演出制御用マイクロコンピュータ１００におけるステップＳ１８２５〜Ｓ１８３１，Ｓ９４１〜Ｓ９８７，Ｓ６１１〜Ｓ６４５，Ｓ１８７０〜Ｓ１８７６を実行する部分）とを含むことを特徴とする。